(57)【要約】【課題】互いに連通する複数の部屋のうち、任意の部屋で発生した汚染物質又は空気中の水分が、他の部屋に拡散するのを抑制することができる、換気システム、この換気システムが配置される建物、及び換気システムの制御装置を得る。【解決手段】制御装置は、第１給気口及び第３給気口から給気された空気を第２排気口から排気する第１換気モードと、第１給気口から給気された空気を第１排気口から排気させ、第３給気口から給気された空気を第２排気口から排気させる第２換気モードと、を切り替えるものである。【選択図】図１
2019211139.tif 000002
【特許請求の範囲】
【請求項１】
室外と連通する第１給気口、及び室外と連通する第１排気口が形成されている第１の部屋と、
室外と連通する第２排気口が形成され、前記第１の部屋と連通している第２の部屋と、
室外と連通する第３給気口が形成され、前記第１の部屋及び前記第２の部屋と連通している第３の部屋と、を換気する換気システムであって、
前記第１給気口に設置された第１給気装置と、
前記第１排気口に設置された第１排気装置と、
前記第２排気口に設置された第２排気装置と、
前記第１給気装置、前記第１排気装置、及び前記第２排気装置の動作を制御する制御装置と、を備え、
前記制御装置は、
前記第１給気装置及び前記第１排気装置を停止させ、前記第２排気装置を駆動させ、前記第１給気口及び前記第３給気口から給気された空気を前記第２排気口から排気する第１換気モードと、
前記第１給気装置、前記第１排気装置及び前記第２排気装置を駆動させ、前記第１給気口から給気された空気を前記第１排気口から排気させ、前記第３給気口から給気された空気を前記第２排気口から排気させる第２換気モードと、を切り替える
換気システム。
【請求項２】
前記制御装置は、
前記第２換気モードにおいて、
前記第１給気装置が前記第１給気口から給気する風量である第１給気量と、
前記第１排気装置が前記第１排気口から排気する風量である第１排気量と、を同じにする
請求項１に記載の換気システム。
【請求項３】
前記制御装置は、
前記第２換気モードにおいて、
前記第２排気装置が前記第２排気口から排気する風量である第２排気量を、前記第１換気モードにおける前記第２排気量よりも少なくする
請求項２に記載の換気システム。
【請求項４】
前記制御装置は、
前記第２換気モードにおける前記第１給気量を、前記第１換気モードにおける前記第１給気量よりも多くする
請求項２又は３に記載の換気システム。
【請求項５】
前記制御装置は、
前記第２換気モードにおいて、
前記第１給気装置が前記第１給気口から給気する風量である第１給気量を、前記第１排気装置が前記第１排気口から排気する風量である第１排気量よりも少なくする
請求項１に記載の換気システム。
【請求項６】
前記制御装置は、
前記第２換気モードにおいて、
前記第２排気装置が前記第２排気口から排気する風量である第２排気量を、前記第１排気量よりも少なくする
請求項５に記載の換気システム。
【請求項７】
前記第１の部屋の空気質を測定する空気質検知手段を備え、
前記制御装置は、
前記空気質が所定の値を下回る状態において、前記第１換気モードを実行し、
前記空気質が前記所定の値以上の状態において、前記第２換気モードを実行する
請求項１〜６の何れか一項に記載の換気システム。
【請求項８】
前記制御装置は、
前記第２換気モードにおいて、
前記空気質の値が大きい程、前記第１排気装置が前記第１排気口から排気する風量である第１排気量を増加させる
請求項７に記載の換気システム。
【請求項９】
使用者からの操作を入力する操作部を備え、
前記制御装置は、
前記操作部からの入力に応じて、前記第１換気モードと前記第２換気モードとを切り替える
請求項１〜６の何れか一項に記載の換気システム。
【請求項１０】
前記制御装置は、
前記操作部からの入力に応じて、前記第１排気装置が前記第１排気口から排気する風量である第１排気量を可変する
請求項９に記載の換気システム。
【請求項１１】
前記第３給気口に設置された第３給気装置を備え、
前記制御装置は、
前記第１給気装置、前記第１排気装置、前記第２排気装置及び第３給気装置を駆動させ、
前記第１給気口から給気された空気を前記第１排気口から排気させ、前記第３給気口から給気された空気を前記第１排気口及び前記第２排気口から排気させる第３換気モードを実行する
請求項１〜１０の何れか一項に記載の換気システム。
【請求項１２】
前記制御装置は、
前記第３換気モードにおいて、
前記第１給気装置が前記第１給気口から給気する風量である第１給気量を、前記第１排気装置が前記第１排気口から排気する風量である第１排気量よりも少なくする
請求項１１に記載の換気システム。
【請求項１３】
前記第３の部屋内の空気を空気調和する空調機を備え、
前記制御装置は、
前記第１排気装置が前記第１排気口から排気する風量である第１排気量が大きい程、前記空調機の空調能力を増加させる
請求項１〜１２の何れか一項に記載の換気システム。
【請求項１４】
前記第１排気装置が前記第１排気口から排気する空気と、前記第１給気装置が前記第１給気口へ給気する空気との間で全熱交換を行う全熱交換器を備えた
請求項１〜１３の何れか一項に記載の換気システム。
【請求項１５】
前記第２排気口から排気された空気の一部と、室外から給気した空気との間で全熱交換を行う第２全熱交換器と、
前記第２排気口から排気された空気の他の一部と、前記第２全熱交換器を通過した空気とを混合した空気を空気調和し、前記第１の部屋及び前記第３の部屋に供給する第２空調機と、を備えた
請求項１〜１４の何れか一項に記載の換気システム。
【請求項１６】
前記制御装置は、
前記第２換気モードにおいて、
前記第１給気装置が前記第１給気口から給気する風量である第１給気量と、前記第２空調機から前記第１の部屋へ供給された風量である第２給気量との和を、
前記第１排気装置が前記第１排気口から排気する風量である第１排気量以下にする
請求項１５に記載の換気システム。
【請求項１７】
室外空間と連通する第１給気口、及び室外空間と連通する第１排気口が形成されている第１の部屋と、
室外空間と連通する第２排気口が形成され、前記第１の部屋と連通している第２の部屋と、
室外空間と連通する第３給気口が形成され、前記第１の部屋及び前記第２の部屋と連通している第３の部屋と、を備え、
請求項１〜１６の何れか一項に記載の換気システムが配置される
建物。
【請求項１８】
第１の部屋と室外とを連通する第１給気口に設置された第１給気装置と、前記第１の部屋と室外とを連通する第１排気口に設置された第１排気装置と、前記第１の部屋に連通している第２の部屋と室外とを連通する第２排気口に設置された第２排気装置と、を備え、前記第１の部屋、前記第２の部屋、及び、室外空間と連通する第３給気口が形成され、前記第１の部屋及び前記第２の部屋と連通している第３の部屋を換気する換気システムを制御する、換気システムの制御装置であって、
前記第１給気装置及び前記第１排気装置を停止させ、前記第２排気装置を駆動させ、前記第１給気口及び前記第３給気口から給気された空気を前記第２排気口から排気する第１換気モードと、
前記第１給気装置、前記第１排気装置及び前記第２排気装置を駆動させ、前記第１給気口から給気された空気を前記第１排気口から排気させ、前記第３給気口から給気された空気を前記第２排気口から排気させる第２換気モードと、を切り替える
換気システムの制御装置。
【発明の詳細な説明】
【技術分野】
【０００１】
本発明は、複数の部屋を換気する換気システム、及び換気システムが配置される建物、並びに換気システムの制御装置に関する。
【背景技術】
【０００２】
建物の室内の空気質を維持する手段として、室外の空気を給気し、室内の空気を排気する、換気装置が用いられる。近年の建物は外皮の気密性が高いことから、略連通した複数の部屋がある場合、一カ所に集中排気装置を設け、各部屋に開口部を設けることによって、すべての部屋の換気を行うことができる。
【０００３】
換気方式には、第１種換気方式と、第２種換気方式と、第３種換気方式とがある。
第１種換気方式は、給気及び排気を、ファンなどの機械的な送風設備により行う方式である。例えば、第１種換気方式では、複数の部屋のうちの一部の部屋の開口部に、室外の空気を室内に給気する送風設備を設け、他の一部の部屋の開口部に、室内の空気を排気する送風設備を設ける。あるいは、各部屋にダクトなどを通じて外気を給気する集中換気装置を設け、各部屋の開口部に、室内の空気を排気する送風設備を設ける。第１種換気方式においては、一部の部屋から室外の空気が送風設備によって給気され、他の部屋から室内の空気が送風設備によって排気される。
第２種換気方式は、給気を、ファンなどの機械的な送風設備により行う方式である。例えば、第２種換気方式では、複数の部屋のうちの一部の部屋の開口部に、室外の空気を室内に給気する送風設備を設ける。第２種換気方式においては、一部の部屋から室外の空気が送風設備によって給気されることで、連通する他の部屋の開口部から室内の空気が排気される。
第３種換気方式は、排気を、ファンなどの機械的な送風設備により行う方式である。第３種換気方式では、複数の部屋のうちの一部の部屋の開口部に、室内の空気を排気する送風設備を設ける。第３種換気方式においては、一部の部屋から室内の空気が送風設備によって排気されることで、連通する他の部屋の開口部から室外の空気が給気される。
【０００４】
例えば、特許文献１には、少なくとも１以上の居室に設置された換気ユニットと、各室と共通区画との通気を行う通気手段と、建物内部の複数の室内および各室を連絡する共通区画に設置された集中換気ユニットとを備えた換気システムが開示されている。
【先行技術文献】
【特許文献】
【０００５】
【特許文献１】特開２００２−２８６２６９号公報
【発明の概要】
【発明が解決しようとする課題】
【０００６】
特許文献１に記載の換気システムにおいては、集中換気ユニットによって、建物内部の複数の室内の給気及排気を行う。このため、任意の部屋において発生した汚染物質又は空気中の水分が、他の部屋に拡散してしまう、という問題点があった。
【０００７】
本発明は、上記のような課題を解決するためになされたもので、互いに連通する複数の部屋のうち、任意の部屋で発生した汚染物質又は空気中の水分が、他の部屋に拡散するのを抑制することができる、換気システム、及びこの換気システムが配置される建物、並びに換気システムの制御装置を得るものである。
【課題を解決するための手段】
【０００８】
本発明に係る換気システムは、室外と連通する第１給気口、及び室外と連通する第１排気口が形成されている第１の部屋と、室外と連通する第２排気口が形成され、前記第１の部屋と連通している第２の部屋と、室外と連通する第３給気口が形成され、前記第１の部屋及び前記第２の部屋と連通している第３の部屋と、を換気する換気システムであって、前記第１給気口に設置された第１給気装置と、前記第１排気口に設置された第１排気装置と、前記第２排気口に設置された第２排気装置と、前記第１給気装置、前記第１排気装置、及び前記第２排気装置の動作を制御する制御装置と、を備え、前記制御装置は、前記第１給気装置及び前記第１排気装置を停止させ、前記第２排気装置を駆動させ、前記第１給気口及び前記第３給気口から給気された空気を前記第２排気口から排気する第１換気モードと、前記第１給気装置、前記第１排気装置及び前記第２排気装置を駆動させ、前記第１給気口から給気された空気を前記第１排気口から排気させ、前記第３給気口から給気された空気を前記第２排気口から排気させる第２換気モードと、を切り替えるものである。
【発明の効果】
【０００９】
本発明は、第１給気口及び第３給気口から給気された空気を第２排気口から排気する第１換気モードと、第３給気口から給気された空気を第２排気口から排気させる第２換気モードとを切り替える。このため、第１の部屋において発生した汚染物質又は空気中の水分の、他の部屋への拡散を抑制することができる。
【図面の簡単な説明】
【００１０】
【図１】実施の形態１に係る換気システムとそれが設置された建物の概略構成図である。
【図２】実施の形態１に係る換気システムの構成を示すブロック図である。
【図３】実施の形態１に係る換気システムの第１換気モードの動作を示す説明図である。
【図４】実施の形態１に係る換気システムにおける第２換気モードのパターン１の動作を示す説明図である。
【図５】実施の形態１に係る換気システムにおける第２換気モードのパターン２の動作を示す説明図である。
【図６】実施の形態１に係る換気システムにおける第２換気モードのパターン３の動作を示す説明図である。
【図７】実施の形態１に係る換気システムの切り替え動作を示すフローチャートである。
【図８】実施の形態２に係る換気システムとそれが設置された建物の概略構成図である。
【図９】実施の形態３に係る換気システムとそれが設置された建物の概略構成図である。
【図１０】実施の形態３に係る換気システムの全館換気空調装置の概略構成図である。
【発明を実施するための形態】
【００１１】
実施の形態１．
［構成］
図１は、実施の形態１に係る換気システムとそれが設置された建物の概略構成図である。なお、図１においては、建物の横断面を模式的に示している。また、図１において、矢印は空気の流れを示している。また、図１において、矢印の数は風量の大きさを示している。以降の図においても同様である。
【００１２】
図１において、建物１は、例えば住宅であり、換気対象となる空間である複数の部屋を有している。建物１には、第１の部屋Ｒ１と、第２の部屋Ｒ２と、第３の部屋Ｒ３と、第４の部屋Ｒ４と、第５の部屋Ｒ５と、廊下Ｐとが設けられている。各部屋は、壁、天井、及び床など構造物で構成された外皮で囲まれている。また、建物１の各部屋には、廊下Ｐと通じるドアＤが設けられている。
【００１３】
第１の部屋Ｒ１は、室外空間と連通する第１給気口２１０、及び室外空間と連通する第１排気口２１１が形成されている。第１の部屋Ｒ１は、例えば寝室等の居室として用いられる空間である。第２の部屋Ｒ２は、室外空間と連通する第２排気口２２０が形成されている。第２の部屋Ｒ２は、例えば、浴槽Ｂが設けられた浴室に通じるサニタリールームとして用いられる空間である。第３の部屋Ｒ３は、室外空間と連通する第３給気口２３０が形成されている。第３の部屋Ｒ３は、例えばリビングダイニングとキッチンＫが一体となった空間である。
【００１４】
第４の部屋Ｒ４は、室外空間と連通する第４連通口２４０が形成されている。第４の部屋Ｒ４は、例えば寝室又は子供部屋等の居室として用いられる空間である。第５の部屋Ｒ５は、室外空間と連通する第５排気口２５０が形成されている。第５の部屋Ｒ５は、例えばトイレＴが設けられている空間である。
【００１５】
第１の部屋Ｒ１、第２の部屋Ｒ２、第３の部屋Ｒ３、第４の部屋Ｒ４、及び第５の部屋Ｒ５は、各部屋のドアＤの上下及び左右の隙間を通じて、それぞれ連通している。
【００１６】
建物１に設置された換気システム２は、第１給気装置１０と、第１排気装置１１と、全熱交換器１２と、第２排気装置２０とを備えている。
第１給気装置１０は、第１給気口２１０に設置されている。第１給気装置１０は、送風機により構成されている。第１給気装置１０は、室外の空気を第１の部屋Ｒ１へと給気する。
第１排気装置１１は、第１排気口２１１に設置されている。第１排気装置１１は、送風機により構成されている。第１排気装置１１は、第１排気口２１１から第１の部屋Ｒ１内の空気を吸い込み室外へ排気する。
全熱交換器１２は、第１給気装置１０が第１給気口２１０から給気する空気と、第１排気装置１１が第１排気口２１１から排気する空気との間で全熱交換を行う。
第２排気装置２０は、第２排気口２２０に設置されている。第２排気装置２０は、送風機により構成されている。第２排気装置２０は、第２排気口２２０から第２の部屋Ｒ２内の空気を吸い込み室外へ排気する。
【００１７】
なお、第５の部屋Ｒ５の第５排気口２５０には、例えば送風機により構成された局所排気装置５０が設けられている。局所排気装置５０は、壁面に設けられたスイッチなどの操作により動作する。
【００１８】
また、換気システム２は、制御装置１００（図２参照）と、空気質検知手段１１０と、操作部１２０とを備えている。
【００１９】
図２は、実施の形態１に係る換気システムの構成を示すブロック図である。
図２に示すように、制御装置１００は、第１給気装置１０、第１排気装置１１、及び第２排気装置２０の動作を制御する。動作の詳細は後述する。
制御装置１００は、専用のハードウェア、又はメモリに格納されるプログラムを実行するＣＰＵで構成される。なお、ＣＰＵは、Ｃｅｎｔｒａｌ  Ｐｒｏｃｅｓｓｉｎｇ  Ｕｎｉｔの略称である。また、ＣＰＵは、中央処理装置、処理装置、演算装置、マイクロプロセッサ、マイクロコンピュータ、又はプロセッサともいう。
【００２０】
制御装置１００が専用のハードウェアである場合、制御装置１００は、例えば、単一回路、複合回路、ＡＳＩＣ、ＦＰＧＡ、又はこれらを組み合わせたものが該当する。制御装置１００が実現する各機能部のそれぞれを、個別のハードウェアで実現しても良いし、各機能部を一つのハードウェアで実現しても良い。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略称である。また、ＦＰＧＡは、Ｆｉｅｌｄ−Ｐｒｏｇｒａｍｍａｂｌｅ  Ｇａｔｅ  Ａｒｒａｙの略称である。
【００２１】
制御装置１００がＣＰＵの場合、制御装置１００が実行する各機能は、ソフトウェア、ファームウェア、又はソフトウェアとファームウェアとの組み合わせにより実現される。ソフトウェア及びファームウェアは、プログラムとして記述され、メモリに格納される。ＣＰＵは、メモリに格納されたプログラムを読み出して実行することにより、制御装置１００の各機能を実現する。ここで、メモリは、例えば、ＲＡＭ、ＲＯＭ、フラッシュメモリ、ＥＰＲＯＭ、ＥＥＰＲＯＭ等の、不揮発性又は揮発性の半導体メモリである。なお、制御装置１００の機能の一部を専用のハードウェアで実現し、一部をソフトウェア又はファームウェアで実現するようにしても良い。なお、ＲＡＭは、Ｒａｎｄｏｍ  Ａｃｃｅｓｓ  Ｍｅｍｏｒｙの略称である。また、ＲＯＭは、Ｒｅａｄ  Ｏｎｌｙ  Ｍｅｍｏｒｙの略称である。また、ＥＰＲＯＭは、Ｅｒａｓａｂｌｅ  Ｐｒｏｇｒａｍｍａｂｌｅ  Ｒｅａｄ  Ｏｎｌｙ  Ｍｅｍｏｒｙの略称である。また、ＥＥＰＲＯＭは、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略称である。
【００２２】
空気質検知手段１１０は、第１の部屋Ｒ１の空気質、即ち汚染濃度を測定するものである。空気質検知手段１１０が測定する空気質としては、例えば、空気中に含まれる、二酸化炭素、臭気成分、又は揮発性有機化合物（ＶＯＣ：Ｖｏｌａｔｉｌｅ  Ｏｒｇａｎｉｃ  Ｃｏｍｐｏｕｎｄｓ）などの濃度がある。また、空気質検知手段１１０が測定する空気質としては、例えば、空気中に含まれる水分、細菌、又はウイルスの量がある。また、空気質検知手段１１０が測定する空気質としては、例えば、部屋内に在室している人の数、人の活動量（単位時間当たりの人の動き）がある。
【００２３】
操作部１２０は、使用者からの操作を制御装置１００へ入力する。操作部１２０は、例えばプッシュスイッチ及びタクトスイッチ等の機械的なスイッチ、電極の静電容量の変化により入力操作を検知するタッチスイッチ等により構成されている。
【００２４】
［換気動作］
次に、本実施の形態１における換気システム２の換気動作について説明する。
換気システム２の制御装置１００は、第１換気モードと第２換気モードとを切り換える。第１換気モードとは、各部屋から給気された空気を、第２排気装置２０によって第２排気口２２０から排気する運転モードである。即ち、第１換気モードとは、第３種換気方式の換気を行う運転モードである。また、第１換気モードとは、１つの第２排気装置２０によって集中排気を行う運転モードである。
第２換気モードとは、第１の部屋Ｒ１において、第１給気口２１０から給気された空気を第１排気口２１１から排気させ、その他の部屋から給気された空気を、第２排気装置２０によって第２排気口２２０から排気させる運転モードである。即ち、第２換気モードとは、第１の部屋Ｒ１においては第１種換気方式の換気を行い、その他の部屋においては第３種換気方式の換気を行う運転モードである。また、第２換気モードとは、第１の部屋Ｒ１においては個別排気を行い、その他の部屋においては集中排気を行う、個別集中併用の運転モードである。
以下、本実施の形態１における換気システム２の動作の詳細を、第１換気モードと第２換気モードとに分けて説明する。
【００２５】
＜第１換気モード＞
図３は、実施の形態１に係る換気システムの第１換気モードの動作を示す説明図である。
図３に示すように、第１換気モードにおいて、第１給気口２１０から室内へ給気される風量を、第１給気量Ｓａ１と定義する。また、第３給気口２３０から室内へ給気される風量を、第３給気量Ｓｂ１と定義する。また、第４連通口２４０から室内へ給気される風量を、第４給気量Ｓｃ１と定義する。また、第２排気口２２０から室外へ排気される風量を、第２排気量Ｅｘ１と定義する。
【００２６】
第１換気モードにおいて、制御装置１００は、第１給気装置１０及び第１排気装置１１を停止させ、第２排気装置２０を駆動させる。
第２排気装置２０が駆動すると、第１の部屋Ｒ１の第１給気口２１０、第３の部屋Ｒ３の第３給気口２３０、及び第４の部屋Ｒ４の第４連通口２４０から室外の空気が給気される。第１の部屋Ｒ１、第３の部屋Ｒ３及び第４の部屋Ｒ４へ給気された空気は、各部屋のドアＤの隙間を通じて第２の部屋Ｒ２へと流入する。第２の部屋Ｒ２へ流入した各部屋の空気は、第２排気装置２０によって第２排気口２２０から室外へ排気される。
【００２７】
即ち、各部屋の外皮の隙間が少なく、外皮の隙間を通じた空気の出入りが無視できる場合、第１換気モードにおける各部屋の風量の関係は、「Ｅｘ１＝Ｓａ１＋Ｓｂ１＋Ｓｃ１」となる。
【００２８】
以上のように第１換気モードにおいては、第１給気装置１０及び第１排気装置１１を停止させ、第２排気装置２０を駆動させることで、建物１の各部屋を換気することができる。よって、第１給気装置１０及び第１排気装置１１も駆動させた場合と比較して、消費電力を少なくすることができ、省エネルギー化を図ることができる。
【００２９】
一方、第１換気モードにおいては、各部屋の空気が他の部屋を通過して、第２の部屋Ｒ２から排気される。例えば、第１の部屋Ｒ１内の空気は、ドアＤを通じて廊下Ｐに流出し、廊下Ｐから第２の部屋Ｒ２へ流入したあと、第２排気口２２０から室外へ排気される。このため、任意の部屋で発生した、臭気、浮遊菌、及び粉塵などの汚染物質が他の部屋へ拡散されつつ排気されることとなる。また、任意の部屋内の空気中の水分が他の部屋へ拡散されつつ排気され、部屋内の湿度が維持し難くなる。
【００３０】
＜第２換気モード＞
次に、第１の部屋Ｒ１で発生した汚染物質又は空気中の水分が、他の部屋へ拡散することを抑制する第２換気モードの動作について、パターン１〜パターン３に分けて説明する。
【００３１】
（パターン１）
図４は、実施の形態１に係る換気システムにおける第２換気モードのパターン１の動作を示す説明図である。
図４に示すように、第２換気モードのパターン１において、第１給気口２１０から室内へ給気される風量を、第１給気量Ｓａ２１と定義する。また、第１排気口２１１から室外へ排気される風量を、第１排気量Ｅａ２１と定義する。また、第３給気口２３０から室内へ給気される風量を、第３給気量Ｓｂ２１と定義する。また、第４連通口２４０から室内へ給気される風量を、第４給気量Ｓｃ２１と定義する。また、第２排気口２２０から室外へ排気される風量を、第２排気量Ｅｘ２１と定義する。
【００３２】
第２換気モードのパターン１において、制御装置１００は、第１給気装置１０、第１排気装置１１及び第２排気装置２０を駆動させる。また、制御装置１００は、第１給気量Ｓａ２１と第１排気量Ｅａ２１とが同じになるように、第１給気装置１０及び第１排気装置１１の動作を制御する。
【００３３】
第１給気装置１０が駆動することにより、第１の部屋Ｒ１の第１給気口２１０から室外の空気が給気される。第１の部屋Ｒ１へ給気された空気は、第１排気装置１１によって第１排気口２１１から室外へ排気される。また、第１給気量Ｓａ２２と第１排気量Ｅａ２２とが同じであるため、第１の部屋Ｒ１内へ給気された空気が、ドアＤの隙間を通じて他の部屋へ流出することなく室外へ排気される。また、全熱交換器１２によって、第１排気口２１１から排気された空気と、第１給気口２１０へ給気される空気との間で全熱交換が行われる。
【００３４】
第２排気装置２０が駆動することにより、第３の部屋Ｒ３の第３給気口２３０及び第４の部屋Ｒ４の第４連通口２４０から室外の空気が給気される。第３の部屋Ｒ３及び第４の部屋Ｒ４へ給気された空気は、各部屋のドアＤの隙間を通じて第２の部屋Ｒ２へと流入する。第２の部屋Ｒ２へ流入した各部屋の空気は、第２排気装置２０によって第２排気口２２０から室外へ排気される。
【００３５】
即ち、第２換気モードのパターン１においては、各部屋の風量の関係は、「Ｓａ２１＝Ｅａ２１」、「Ｅｘ２１＝Ｓｂ２１＋Ｓｃ２１」となる。
【００３６】
以上のように第２換気モードのパターン１においては、第１給気装置１０及び第１排気装置１１を駆動させることで、第１の部屋Ｒ１で発生した汚染物質又は空気中の水分が他の部屋へ拡散されることを抑制できる。また、第２排気装置２０を駆動させることで、第１の部屋Ｒ１以外の各部屋を換気することができる。
【００３７】
また、第１給気量Ｓａ２１と第１排気量Ｅａ２１とが同じであるため、第１の部屋Ｒ１内へ給気された空気が、ドアＤの隙間を通じて他の部屋へ流出し難くすることができる。
【００３８】
また、全熱交換器１２によって、第１の部屋Ｒ１から排気される空気と第１の部屋Ｒ１へ給気される空気とが全熱交換されるため、第１の部屋Ｒ１内の温度及び湿度の変化を抑制することができる。また、第１給気量Ｓａ２１と第１排気量Ｅａ２１とが同じであるため、全熱交換器１２における全熱交換を効率よく行うことができ、省エネルギー化を図ることができる。
【００３９】
なお、第２換気モードのパターン１において、制御装置１００は、第２排気量Ｅｘ２１が、第１換気モードにおける第２排気量Ｅｘ１よりも少なくなるように第２排気装置２０の動作を制御しても良い。
第１換気モードと比較して、第１の部屋Ｒ１の給気及び排気を第２排気装置２０によって行わないため、「第２排気量Ｅｘ２１＜第２排気量Ｅｘ１」の関係としても、第１の部屋Ｒ１以外の各部屋の換気を十分に行うことができる。従って、第１換気モードと比較して、第２排気装置２０による集中排気によって、室外に排気される排気量を低下させることができる。よって、例えば、空調機などによって各部屋を空調した場合であっても、空調した空気が室外に排出される風量が低下することとなり、省エネルギー化を図ることができる。
【００４０】
（パターン２）
第２換気モードのパターン２は、パターン１と比較して、第１の部屋Ｒ１内の空気質をより速く向上させる動作である。
【００４１】
図５は、実施の形態１に係る換気システムにおける第２換気モードのパターン２の動作を示す説明図である。
図５に示すように、第２換気モードのパターン２において、第１給気口２１０から室内へ給気される風量を、第１給気量Ｓａ２２と定義する。また、第１排気口２１１から室外へ排気される風量を、第１排気量Ｅａ２２と定義する。また、第３給気口２３０から室内へ給気される風量を、第３給気量Ｓｂ２２と定義する。また、第４連通口２４０から室内へ給気される風量を、第４給気量Ｓｃ２２と定義する。また、第２排気口２２０から室外へ排気される風量を、第２排気量Ｅｘ２２と定義する。
【００４２】
第２換気モードのパターン２において、制御装置１００は、第１給気装置１０、第１排気装置１１及び第２排気装置２０を駆動させる。また、制御装置１００は、第１給気量Ｓａ２２と第１排気量Ｅａ２２とが同じになるように、第１給気装置１０及び第１排気装置１１の動作を制御する。更に、制御装置１００は、第１給気量Ｓａ２２を、第１換気モードにおける第１給気量Ｓａ１よりも多くする。
【００４３】
第１給気装置１０が駆動することにより、第１の部屋Ｒ１の第１給気口２１０から室外の空気が給気される。第１の部屋Ｒ１へ給気された空気は、第１排気装置１１によって第１排気口２１１から室外へ排気される。また、第１給気量Ｓａ２２と第１排気量Ｅａ２２とが同じであるため、第１の部屋Ｒ１内へ給気された空気が、ドアＤの隙間を通じて他の部屋へ流出することなく室外へ排気される。また、全熱交換器１２によって、第１排気口２１１から排気された空気と、第１給気口２１０へ給気される空気との間で全熱交換が行われる。更に、第１給気量Ｓａ２２が第１換気モードにおける第１給気量Ｓａ１よりも多いため、パターン１と比較して、第１の部屋Ｒ１内の換気量が大きくなる。
【００４４】
第２排気装置２０が駆動することにより、第３の部屋Ｒ３の第３給気口２３０及び第４の部屋Ｒ４の第４連通口２４０から室外の空気が給気される。第３の部屋Ｒ３及び第４の部屋Ｒ４へ給気された空気は、各部屋のドアＤの隙間を通じて第２の部屋Ｒ２へと流入する。第２の部屋Ｒ２へ流入した各部屋の空気は、第２排気装置２０によって第２排気口２２０から室外へ排気される。
【００４５】
即ち、第２換気モードのパターン２においては、各部屋の風量の関係は、「Ｓａ２２＝Ｅａ２２」、「Ｓａ１＜Ｓａ２２」、「Ｅｘ２２＝Ｓｂ２２＋Ｓｃ２２」となる。
【００４６】
以上のように第２換気モードのパターン２においては、第１給気装置１０及び第１排気装置１１を駆動させることで、第１の部屋Ｒ１で発生した汚染物質又は空気中の水分が他の部屋へ拡散されることを抑制できる。また、第２排気装置２０を駆動させることで、第１の部屋Ｒ１以外の各部屋を換気することができる。さらに、更に、パターン１と比較して、第１の部屋Ｒ１内の空気質をより速く改善させることができる。
【００４７】
なお、第２換気モードのパターン２においても、制御装置１００は、第２排気量Ｅｘ２１が、第１換気モードにおける第２排気量Ｅｘ１よりも少なくなるように第２排気装置２０の動作を制御しても良い。
【００４８】
（パターン３）
第２換気モードのパターン３は、パターン１及びパターン２と比較して、第１の部屋Ｒ１で発生した汚染物質又は空気中の水分の、他の部屋への拡散をより抑制する動作を行う。
【００４９】
図６は、実施の形態１に係る換気システムにおける第２換気モードのパターン３の動作を示す説明図である。
図６に示すように、第２換気モードのパターン３において、第１給気口２１０から室内へ給気される風量を、第１給気量Ｓａ２３と定義する。また、第１排気口２１１から室外へ排気される風量を、第１排気量Ｅａ２３と定義する。また、第３給気口２３０から室内へ給気される風量を、第３給気量Ｓｂ２３と定義する。また、第４連通口２４０から室内へ給気される風量を、第４給気量Ｓｃ２３と定義する。また、第２排気口２２０から室外へ排気される風量を、第２排気量Ｅｘ２３と定義する。また、第１の部屋Ｒ１のドアＤから第１の部屋Ｒ１内へ給気される風量を、室内給気量Ｓａ＿ｒｅと定義する。
【００５０】
第２換気モードのパターン３において、制御装置１００は、第１給気装置１０、第１排気装置１１及び第２排気装置２０を駆動させる。また、制御装置１００は、第１給気量Ｓａ２３が第１排気量Ｅａ２３よりも少なくなるように、第１給気装置１０及び第１排気装置１１の動作を制御する。
【００５１】
第１給気装置１０が駆動することにより、第１の部屋Ｒ１の第１給気口２１０から室外の空気が給気される。また、第１給気量Ｓａ２３が第１排気量Ｅａ２３よりも少ないため、第１の部屋Ｒ１内は負圧となり、廊下ＰからドアＤの隙間を通じて他の部屋からの空気が供給される。第１の部屋Ｒ１へ給気された空気は、第１排気装置１１によって第１排気口２１１から室外へ排気される。また、全熱交換器１２によって、第１排気口２１１から排気された空気と、第１給気口２１０へ給気される空気との間で全熱交換が行われる。
【００５２】
第２排気装置２０が駆動することにより、第３の部屋Ｒ３の第３給気口２３０及び第４の部屋Ｒ４の第４連通口２４０から室外の空気が給気される。第３の部屋Ｒ３及び第４の部屋Ｒ４へ給気された空気は、一部が第１の部屋Ｒ１に流入し、他の一部が第２の部屋Ｒ２へと流入する。第２の部屋Ｒ２へ流入した各部屋の空気は、第２排気装置２０によって第２排気口２２０から室外へ排気される。
【００５３】
即ち、第２換気モードのパターン３においては、各部屋の風量の関係は、「Ｓａ２３＋Ｓａ＿ｒｅ＝Ｅａ２３」、「Ｅｘ２３＋Ｅａ２３＝Ｓａ２３＋Ｓｂ２３＋Ｓｃ２３」となる。
【００５４】
以上のように第２換気モードのパターン３においては、第１給気量Ｓａ２３が第１排気量Ｅａ２３よりも少なくなるように、第１給気装置１０及び第１排気装置１１を駆動させることで、第１の部屋Ｒ１で発生した汚染物質又は空気中の水分が他の部屋へ拡散されることを抑制できる。また、第２排気装置２０を駆動させることで、第１の部屋Ｒ１以外の各部屋を換気することができる。
【００５５】
なお、第２換気モードのパターン３においても、制御装置１００は、制御装置１００は、第１給気量Ｓａ２３を、第１換気モードにおける第１給気量Ｓａ１よりも多くしても良い。これにより、パターン１と比較して、第１の部屋Ｒ１内の換気量が大きくなり、第１の部屋Ｒ１内の空気質をより速く向上させることができる。
【００５６】
第２換気モードのパターン３は、特に、第１の部屋Ｒ１が寝室として使用され、冬の低湿度時期に、高い効能を奏する。すなわち、冬場の暖房により、第１の部屋Ｒ１が低湿度となると、睡眠中の使用者の喉及び肌への悪影響が大きくなる。このため、第１の部屋Ｒ１で発生する水分を逃がさず、外気の取り込み量を減らし、また低騒音化のために暖房及び換気の風量を低減することが求められる。第２換気モードのパターン３では、高い空気清浄性能を維持しつつ、外気の取り込み量を減らし、廊下Ｐを通じた空気が第１の部屋Ｒ１に導入される。廊下Ｐを通じて第１の部屋Ｒ１へ流入する空気は、もともとは外気であるが、他の部屋を通過することによって、通過した部屋内の蓄熱及び蓄湿分を利用して高いエンタルピー状態で第１の部屋Ｒ１に流入する。よって、第１の部屋Ｒ１の空調及び加湿の負荷を減らし、使用者によってより快適な睡眠環境を形成することができる。なお、上述した第２換気モードのパターン１においても、第１の部屋Ｒ１が寝室として使用された場合、第１の部屋Ｒ１内で発生した呼気由来の湿度を、全熱交換器１２によって第１の部屋Ｒ１に戻せるため、睡眠時の換気システムとして有効であることは言うまでもない。
【００５７】
なお、第２換気モードのパターン３において、制御装置１００は、第２排気量Ｅｘ２３を、第１排気量Ｅａ２３よりも少なくなるように第２排気装置２０の動作を制御しても良い。第２換気モードのパターン３においては、第３の部屋Ｒ３及び第４の部屋Ｒ４へ給気された空気のうち、一部が第１の部屋Ｒ１に流入し、他の一部が第２の部屋Ｒ２へと流入する。このため、「第２排気量Ｅｘ２３＜第１排気量Ｅａ２３」の関係としても、第１の部屋Ｒ１以外の各部屋の換気を十分に行うことができる。従って、第２排気装置２０による集中排気によって、室外に排気される排気量を低下させることができる。よって、例えば、空調機などによって各部屋を空調した場合であっても、空調した空気が室外に排出される風量が低下することとなり、省エネルギー化を図ることができる。
【００５８】
なお、第２換気モードのパターン３においても、制御装置１００は、第２排気量Ｅｘ２１が、第１換気モードにおける第２排気量Ｅｘ１よりも少なくなるように第２排気装置２０の動作を制御しても良い。
【００５９】
［切り替え動作］
次に、上述した第１換気モード、及び第２換気モードのパターン１〜パターン３の切り替え動作について説明する。
【００６０】
図７は、実施の形態１に係る換気システムの切り替え動作を示すフローチャートである。以下、図７の各ステップに基づき、換気システム２の切り替え動作を説明する。
【００６１】
制御装置１００は、空気質検知手段１１０によって測定された空気質の検出値を取得する（ステップＳ１）。制御装置１００は、空気質の検出値が、所定の値の一例である第１閾値を下回るか否かを判定する（ステップＳ２）。空気質の検出値が第１閾値を下回る状態においては、制御装置１００は、第１換気モードを実行する（ステップＳ３）。
【００６２】
空気質の検出値が第１閾値以上である場合、制御装置１００は、空気質の検出値が、第２閾値を下回るか否かを判定する（ステップＳ４）。ここで、第２閾値は、第１閾値よりも大きい値である。空気質の検出値が第２閾値を下回る状態においては、制御装置１００は、第２換気モードのパターン１を実行する（ステップＳ５）。
【００６３】
空気質の検出値が第２閾値以上である場合、制御装置１００は、所定の運転条件を満たすか否かを判定する（ステップＳ６）。
【００６４】
ここで、所定の運転条件とは、例えば、外気が所定の温度及び湿度を下回るか否かを条件とする。この場合、外気の温度及び湿度を検知する温湿度センサを設け、制御装置１００は、温湿度センサの検出値に基づき運転条件を判定する。また例えば、所定の運転条件とは、現在の日付が予め設定した冬期の日付に含まれるか否かを条件とする。即ち、制御装置１００は、ステップＳ６において、外気が低温低湿度となる運転状態であるか否かを判定する。
また例えば、所定の運転条件とは、現在の時刻が予め設定した夜間の時間に含まれるか否かを条件とする。即ち、制御装置１００は、例えば第１の部屋Ｒ１が寝室として使用される場合に、使用者が睡眠中である時間であるか否かを判定する。
【００６５】
制御装置１００は、所定の運転状態を満たさない場合、第２換気モードのパターン２を実行する（ステップＳ７）。一方、所定の運転状態を満たす場合、第２換気モードのパターン３を実行する（ステップＳ８）。
【００６６】
即ち、制御装置１００は、空気質が第１閾値を下回る状態において、第１換気モードを実行し、空気質が第１閾値以上の状態において、第２換気モードを実行する。
また、空気質の値が、第２閾値を下回る場合には、第２換気モードのパターン１を実行し、第２閾値以上の場合、換気量がパターン１よりも大きいパターン２又はパターン３を実行する。つまり、空気質の値が大きい程、第１排気装置１１が第１排気口２１１から排気する風量である第１排気量を増加させる。
【００６７】
なお、上記の説明では、空気質検知手段１１０によって測定された空気質の検出値に基づいて、切り替え動作を行う場合を説明したが、本発明はこれに限定されない。例えば、制御装置１００は、操作部１２０からの入力に応じて、第１換気モード、第２換気モードのパターン１〜パターン３をそれぞれ切り替えるようにしても良い。即ち、制御装置１００は、操作部１２０からの入力に応じて、第１排気装置１１が第１排気口２１１から排気する風量である第１排気量を可変するようにしても良い。
【００６８】
以上のように本実施の形態１においては、制御装置１００は、各部屋から給気された空気を第２排気口２２０から集中排気する第１換気モードと、第１の部屋Ｒ１を個別排気させ、他の部屋から給気された空気を第２排気口２２０から集中排気させる第２換気モードとを切り替える。
このため、第１換気モードにおいては、消費電力を少なくした集中排気を行うことで省エネルギー化を図ることができ、第２換気モードにおいては、第１の部屋Ｒ１において発生した汚染物質又は空気中の水分の、他の部屋への拡散を抑制することができる。
【００６９】
なお、本実施の形態１においては、第３の部屋Ｒ３の第３給気口２３０及び第４の部屋Ｒ４の第４連通口２４０に給気装置を設けない第３種換気方式の構成を説明したが、本発明はこれに限定されない。第３の部屋Ｒ３の第３給気口２３０及び第４の部屋Ｒ４の第４連通口２４０に給気装置を設け、送風機の動力によって給気を行っても良い。即ち第１種換気方式の構成を適用しても良い。ここで、第２換気モードにおいて、第１給気装置１０及び第１排気装置１１を動作させた場合であっても、第３の部屋Ｒ３及び第４の部屋Ｒ４への給気量が第２排気装置２０の排気量と比較して少ない場合、第１の部屋Ｒ１内の空気が他の部屋へ漏出する懸念がある。このため、第１種換気方式を採用し、第３の部屋Ｒ３及び第４の部屋Ｒ４への給気を給気装置によって行うことで、第３の部屋Ｒ３及び第４の部屋Ｒ４からドアＤを通じて押し出された空気が、第２の部屋Ｒ２へと流れる風路が形成され、第１の部屋Ｒ１からの汚染物質及び水分の拡散を抑制することができる。
【００７０】
実施の形態２．
以下、実施の形態２における換気システムの構成及び動作について、上記実施の形態１との相違点を中心に説明する。なお、上記実施の形態１と同じ構成には同一の符号を付し説明は省略する。
【００７１】
図８は、実施の形態２に係る換気システムとそれが設置された建物の概略構成図である。
図８に示すように、換気システム２は、上記実施の形態１の構成に加え、第３給気口２３０に設置された第３給気装置３０を備える。第３給気装置３０は、送風機により構成されている。第３給気装置３０は、室外の空気を第３の部屋Ｒ３へと給気する。
また、換気システム２は、第３の部屋Ｒ３に設置された空調機ＡＣを備える。空調機ＡＣは、第３の部屋Ｒ３内の空気を吸込み、空気調和した後、第３の部屋Ｒ３へ吹き出す。制御装置１００は、第３給気装置３０及び空調機ＡＣの動作を制御する。
【００７２】
制御装置１００は、第３換気モードを実行する。第３換気モードとは、第１給気口２１０から給気された空気を第１排気口２１１から排気させ、第３給気口２３０から給気された空気を第１排気口２１１及び第２排気口２２０から排気させる運転モードである。即ち、第３換気モードとは、第１の部屋Ｒ１においては第１種換気方式の換気を行い、その他の部屋においては第２種換気方式の換気を行う運転モードである。また、第３換気モードとは、第１の部屋Ｒ１においては個別排気を行い、その他の部屋においては集中排気を行う、個別集中併用の運転モードである。以下、第３換気モードにおける換気動作の詳細を説明する。
【００７３】
＜第３換気モード＞
図８に示すように、第３換気モードにおいて、第１給気口２１０から室内へ給気される風量を、第１給気量Ｓａ３と定義する。また、第１排気口２１１から室外へ排気される風量を、第１排気量Ｅａ３と定義する。また、第３給気口２３０から室内へ給気される風量を、第３給気量Ｓｂ３と定義する。また、第４連通口２４０から室外へ排気される風量を、第４排気量Ｅｃ３と定義する。また、第２排気口２２０から室外へ排気される風量を、第２排気量Ｅｘ３と定義する。
【００７４】
第３換気モードにおいて、制御装置１００は、第１給気装置１０、第１排気装置１１、第２排気装置２０及び第３給気装置３０を駆動させる。また、制御装置１００は、第１給気量Ｓａ３が第１排気量Ｅａ３よりも少なくなるように、第１給気装置１０及び第１排気装置１１の動作を制御する。
【００７５】
第３給気装置３０が駆動することにより、第３の部屋Ｒ３の第３給気口２３０から室外の空気が給気される。第３の部屋Ｒ３へ給気された空気は、空調機ＡＣによって空気調和されている室内の空気と混合した後、ドアＤの隙間を通じて廊下Ｐ及び他の部屋へ流出する。
【００７６】
第１給気装置１０が駆動することにより、第１の部屋Ｒ１の第１給気口２１０から室外の空気が給気される。また、第１給気量Ｓａ３が第１排気量Ｅａ３よりも少ないため、第１の部屋Ｒ１内は負圧となり、廊下ＰからドアＤの隙間を通じて第３の部屋Ｒ３からの空気が供給される。第１の部屋Ｒ１へ給気された空気は、第１排気装置１１によって第１排気口２１１から室外へ排気される。また、全熱交換器１２によって、第１排気口２１１から排気された空気と、第１給気口２１０へ給気される空気との間で全熱交換が行われる。
【００７７】
第２排気装置２０が駆動することにより、第３の部屋Ｒ３からの空気の一部が第２の部屋Ｒ２に流入する。第２の部屋Ｒ２へ流入した空気は、第２排気装置２０によって第２排気口２２０から室外へ排気される。
また、第３の部屋Ｒ３からの空気の他の一部は、廊下Ｐ及びドアＤの隙間を通じて第４の部屋Ｒ４へ流入し、第４連通口２４０から室外へ排出される。
【００７８】
即ち、第３換気モードにおいては、各部屋の風量の関係は、「Ｓａ３＋Ｓｂ３＝Ｅａ３＋Ｅｘ３＋Ｅｃ３」、「Ｓａ３＜Ｅａ３」となる。
【００７９】
以上のように第３換気モードにおいては、第１給気量Ｓａ３が第１排気量Ｅａ３よりも少なくなるように、第１給気装置１０及び第１排気装置１１を駆動させることで、第１の部屋Ｒ１で発生した汚染物質又は空気中の水分が他の部屋へ拡散されることを抑制できる。
【００８０】
また、第３の部屋Ｒ３に空調機ＡＣを設け、第３給気装置３０によって給気した空気を空気調和された空気と混合させたあと、各部屋へ流出させる。このため、建物１内の各部屋を空調機ＡＣによって空気調和することができる。即ち、建物１の各部屋の外皮性能が十分に高く、室内の熱負荷が均等な場合に、各部屋の温度差が少なく均一な換気空調が可能である。
【００８１】
また、全熱交換器１２によって、第１の部屋Ｒ１から排気される空気と第１の部屋Ｒ１へ給気される空気とが全熱交換されるため、第１の部屋Ｒ１内の温度及び湿度の変化を抑制することができる。
【００８２】
なお、制御装置１００は、第１排気量Ｅａ３が大きい程、空調機ＡＣの空調能力を増加させるようにしても良い。これにより、空調機ＡＣによって空気調和された空気が多く排出される場合であっても、各部屋の温度及び湿度の変化を抑制することが可能となる。
なお、上記実施の形態１の構成においても、第３の部屋Ｒ３に空調機ＡＣを設け、制御装置１００は、第１排気量Ｅａ３が大きい程、空調機ＡＣの空調能力を増加させるようにしても良い。
【００８３】
実施の形態３．
以下、実施の形態３における換気システムの構成及び動作について、上記実施の形態１及び２との相違点を中心に説明する。なお、上記実施の形態１及び２と同じ構成には同一の符号を付し説明は省略する。
【００８４】
図９は、実施の形態３に係る換気システムとそれが設置された建物の概略構成図である。
図１０は、実施の形態３に係る換気システムの全館換気空調装置の概略構成図である。
図９及び図１０に示すように、換気システム２は、上記実施の形態１の構成に加え、全館換気空調装置３００を備えている。全館換気空調装置３００は、第２全熱交換器３１０と、第２空調機３２０とを備えている。
【００８５】
第２全熱交換器３１０は、第２排気口２２０から排気された戻り空気ＲＡの一部と、室外から給気した外気ＯＡとの間で全熱交換を行う。全熱交換後の戻り空気ＲＡは、排気ＥＡとして室外へ排気される。
第２空調機３２０は、第２排気口２２０から排気された戻り空気ＲＡの他の一部と第２全熱交換器３１０を通過した外気ＯＡとを混合した空気を空気調和する。第２空調機３２０は、空気調和した空気を供給空気ＳＡとして建物１の各部屋へと供給する。第２空調機３２０は、室外機３３０から供給される冷媒と、空気とを熱交換する熱交換器によって構成される。
【００８６】
なお、図１０に示すように、第２全熱交換器３１０に付設して、外気ＯＡを吸い込む送風機３１１と排気ＥＡを排出させる送風機３１２とを設けても良い。また、第２空調機３２０に付設して、供給空気ＳＡを各部屋へ送出させる送風機３２１を設けても良い。
【００８７】
建物１の各部屋と全館換気空調装置３００とは、ダクト又は床下の風路等によって連結されている。具体的には、全館換気空調装置３００は、第１の部屋Ｒ１に形成された第２給気口２１２と、第２の部屋Ｒ２に形成された第２排気口２２０と、第３の部屋Ｒ３に形成された第３給気口２３０と、第４の部屋Ｒ４に形成された第４連通口２４０と、それぞれ連結されている。
【００８８】
［換気動作］
次に、本実施の形態３における換気システム２の換気動作について説明する。
本実施の形態３における換気システム２は、上記実施の形態１又は２の換気動作に加え、全館換気空調装置３００による各部屋の換気及び空調を行う。
【００８９】
図９に示すように、第１給気口２１０から室内へ給気される風量を、第１給気量Ｓａ４１と定義する。第２給気口２１２から室内へ給気される風量を、第２給気量Ｓａ４２と定義する。また、第３給気口２３０から室内へ給気される風量を、第３給気量Ｓｂ４と定義する。また、第４連通口２４０から室内へ給気される風量を、第４給気量Ｓｃ４と定義する。また、第２排気口２２０から室外へ排気される風量を、第２排気量Ｅｘ４と定義する。
【００９０】
制御装置１００は、第１給気装置１０、第１排気装置１１及び第２排気装置２０を駆動させる。また、制御装置１００は、第１給気量Ｓａ４１と第２給気量Ｓａ４２との和が、第１排気量Ｅａ４以下となるように、第１給気装置１０及び第１排気装置１１の動作を制御する。また、制御装置１００は、全館換気空調装置３００の第２空調機３２０、並びに送風機３１１、送風機３１２及び送風機３２１を駆動させる。
【００９１】
第２排気装置２０によって第２排気口２２０から排気された戻り空気ＲＡは、ダクト等によって連結された全館換気空調装置３００へ流入する。全館換気空調装置３００へ流入した戻り空気ＲＡの一部は、第２全熱交換器３１０によって、室外から給気した外気ＯＡとの間で全熱交換が行われた後、排気ＥＡとして室外へ排気される。室外から全館換気空調装置３００へ流入した外気ＯＡは、第２全熱交換器３１０によって、戻り空気ＲＡの一部と全熱交換が行われた後、全館換気空調装置３００へ流入した戻り空気ＲＡの他の一部と混合され、第２空調機３２０によって空気調和される。
【００９２】
第２空調機３２０によって空気調和された供給空気ＳＡは、ダクト等によって連結された第２給気口２１２から第１の部屋Ｒ１へ供給される。また、供給空気ＳＡは、ダクト等によって連結された第３給気口２３０から第３の部屋Ｒ３へ供給される。また、供給空気ＳＡは、ダクト等によって連結された第４連通口２４０から第４の部屋Ｒ４へ供給される。
【００９３】
第１の部屋Ｒ１には、第１給気口２１０からの室外の空気と、第２給気口２１２からの全館換気空調装置３００の供給空気ＳＡとが給気される。第１給気量Ｓａ４１と第２給気量Ｓａ４２との和が、第１排気量Ｅａ４以下であるため、第１の部屋Ｒ１内へ給気された空気が、ドアＤの隙間を通じて他の部屋へ流出することなく室外へ排気される。また、全熱交換器１２によって、第１排気口２１１から排気された空気と、第１給気口２１０へ給気される空気との間で全熱交換が行われる。
【００９４】
全館換気空調装置３００から第３の部屋Ｒ３及び第４の部屋Ｒ４へ給気された供給空気ＳＡは、各部屋のドアＤの隙間を通じて第２の部屋Ｒ２へと流入する。第２の部屋Ｒ２へ流入した各部屋の空気は、第２排気装置２０によって第２排気口２２０から排気され、全館換気空調装置３００へ流入する。
【００９５】
即ち、各部屋の風量の関係は、「Ｅａ４≧Ｓａ４１＋Ｓａ４２」、「Ｓａ４１＜Ｅａ４」、「Ｅｘ４＝Ｓｂ４＋Ｓｃ４」となる。
【００９６】
以上のように本実施の形態３においては、建物１の各部屋の換気及び空調を行う全館換気空調装置３００を備えるので、建物１から空気が排出されることで発生する熱ロスを抑制しつつ、建物１の各部屋の換気及び空調を行うことができる。
【００９７】
また、制御装置１００は、第１給気量Ｓａ４１と第２給気量Ｓａ４２との和が、第１排気量Ｅａ４以下となるように、第１給気装置１０及び第１排気装置１１の動作を制御する。このため、第１の部屋Ｒ１において発生した汚染物質又は空気中の水分の、他の部屋への拡散を抑制することができる。
【符号の説明】
【００９８】
１  建物、２  換気システム、１０  第１給気装置、１１  第１排気装置、１２  全熱交換器、２０  第２排気装置、３０  第３給気装置、５０  局所排気装置、１００  制御装置、１１０  空気質検知手段、１２０  操作部、２１０  第１給気口、２１１  第１排気口、２１２  第２給気口、２２０  第２排気口、２３０  第３給気口、２４０  第４連通口、２５０  第５排気口、３００  全館換気空調装置、３１０  第２全熱交換器、３１１  送風機、３１２  送風機、３２０  第２空調機、３２１  送風機、３３０  室外機、ＡＣ  空調機、Ｂ  浴槽、Ｄ  ドア、Ｋ  キッチン、Ｐ  廊下、Ｔ  トイレ、Ｒ１  第１の部屋、Ｒ２  第２の部屋、Ｒ３  第３の部屋、Ｒ４  第４の部屋、Ｒ５  第５の部屋。
【図１】
2019211139.tif 000003
【図２】
2019211139.tif 000004
【図３】
2019211139.tif 000005
【図４】
2019211139.tif 000006
【図５】
2019211139.tif 000007
【図６】
2019211139.tif 000008
【図７】
2019211139.tif 000009
【図８】
2019211139.tif 000010
【図９】
2019211139.tif 000011
【図１０】
2019211139.tif 000012